(57)【特許請求の範囲】
【請求項１】
ベースを含み、前記ベースの頂面には立柱が固定的に設置され、前記立柱の頂面には頂板が固定的に設置され、前記頂板の中には空き空間が設置され、前記空き空間の中には回収軸が回転できるように設置され、前記回収軸の外円周面には二本のロープが巻かれ、前記立柱の右側面には掛け板が固定的に設置され、前記掛け板には浮き輪が置かれ、前記浮き輪と前記ロープとを結び付けることができるため、前記浮き輪を水に投げる時、前記回収軸が回転することにより前記浮き輪を引き戻せ、前記立柱の左側面には空気入れ箱が固定的に設置され、前記空気入れ箱の中には空気空間が設置され、前記空気空間の中には空気入れ軸が回転できるように設置され、前記空気入れ軸の外円周面には螺旋状羽根が設置され、前記空気入れ箱の頂面にはホースが固定的に設置され、前記ホースの一端には空気入れノズルが固定的に設置され、前記ホースが前記空気空間と連通し、前記空気入れノズルは前記浮き輪に空気を入れることができ、前記ベースの頂面にはマスク空間が設置され、前記マスク空間の左側壁には空気入れパイプが固定的に設置され、前記マスク空間の中には酸素マスクが貯蔵され、前記酸素マスクには空気入りパイプが固定的に設置され、前記空気入れパイプは前記空気入りパイプに空気を入れることができ、前記空気空間と前記空気入れパイプとが通気パイプを介して連通し、前記ベースの中には動力空間が設置され、前記動力空間の左側壁の中には動力モーターが固定的に嵌められ、前記動力モーターは前記空気入れ軸の回転及び前記回収軸の回転に動力を供給できることを特徴とする池の周囲に備えられる救命設備。
【請求項２】
前記空き空間の左側に位置する前記頂板の中には頂空間が設置され、前記回収軸の左側延在部分が前記頂空間の中に延在し、前記回収軸の左側末端には第一傘歯車が固定的に設置され、前記立柱の中には上下方向に延在する縦回転軸が回転できるように設置され、前記縦回転軸の頂部延在部分が前記頂空間の中に延在し、前記縦回転軸の頂部延在部分の末端には第二傘歯車が固定的に設置され、前記第二傘歯車が前記第一傘歯車と噛み合い、前記縦回転軸の底端には第三傘歯車が固定的に設置され、前記第三傘歯車が前記動力空間の中に位置することを特徴とする請求項１に記載の池の周囲に備えられる救命設備。
【請求項３】
前記立柱の左側面には固定ブロックが固定的に設置され、前記空気入れノズルが前記固定ブロックの中に置かれることができ、前記空気空間の壁にはフィルターが固定的に設置され、前記フィルターは粉塵が前記空気空間の中に入ることを防ぎ、前記ベースの頂面には蓋板がヒンジで連結され、前記蓋板が前記マスク空間を覆うことができることを特徴とする請求項２に記載の池の周囲に備えられる救命設備。
【請求項４】
前記動力空間の中には切換スライダがスライドできるように設置され、前記切換スライダの中にはスプラインスリーブが回転できるように設置され、前記スプラインスリーブの右端には第四傘歯車が固定的に設置され、前記第四傘歯車が前記第三傘歯車と噛み合うことができ、前記スプラインスリーブの左端には第五傘歯車が固定的に設置され、前記動力モーターの右端には動力軸が伝動できるように連結され、前記動力軸が前記スプラインスリーブの中に挿入され、かつ前記動力軸が前記スプラインスリーブとスプラインにより嵌合され、前記動力空間の頂壁の中には大歯車が回転できるように設置され、前記大歯車の底端には第六傘歯車が固定的に設置され、前記第六傘歯車が前記第五傘歯車と噛み合うことができ、前記空気入れ軸の外円周面には小歯車が固定的に設置され、前記小歯車が前記大歯車と噛み合い、かつ前記大歯車の直径が前記小歯車の直径より大きいことを特徴とする請求項３に記載の池の周囲に備えられる救命設備。
【請求項５】
前記動力空間の底壁にはスライド溝が形成され、前記スライド溝の中にはスライド板がスライドできるように設置され、前記スライド板が前記切換スライダの底面に固定され、前記スライド板の左右両側に位置する前記スライド溝の中には電磁石が固定的に設置され、右側に位置する前記電磁石の右側には磁性ブロックがスライドできるように設置され、前記動力空間の右側には止め板がスライドできるように設置され、前記止め板が前記通気パイプを塞げ、前記止め板と前記磁性ブロックとが引き紐により固定され、前記止め板の左側には復帰機構が固定的に設置されていることを特徴とする請求項４に記載の池の周囲に備えられる救命設備。
【発明の詳細な説明】
【技術分野】
【０００１】
本願発明は救命具技術分野に関し、具体的には池の周囲に備えられる救命設備である。
【背景技術】
【０００２】
池のまわりで釣る人または泳ぐ人がよく見られ、安全標語を使っても溺れる事件がよく起こる。従って、池のまわりで救命設備を備える必要がある。従来の救命設備は浮き輪を一つだけ備え、また浮き輪が偶に漏れ、人が溺れる時、まず、浮き輪に空気を入れなければならなくて面倒であり、救援要員は水に飛び込んだ時の安全を確保するために、人を救う前に、救命設備をつける需要もある。
【先行技術文献】
【特許文献】
【０００３】
【特許文献１】中国特許出願公開第１０３６０８２５７号明細書
【発明の概要】
【発明が解決しようとする課題】
【０００４】
本願発明は池の周囲に備えられる救命設備を提供し、既存技術にある上記の欠点を解消することを目的とする。
【課題を解決するための手段】
【０００５】
本願発明実施例の池の周囲に備えられる救命設備は、ベースを含み、前記ベースの頂面には立柱が固定的に設置され、前記立柱の頂面には頂板が固定的に設置され、前記頂板の中には空き空間が設置され、前記空き空間の中には回収軸が回転できるように設置され、前記回収軸の外円周面には二本のロープが巻かれ、前記立柱の右側面には掛け板が固定的に設置され、前記掛け板には浮き輪が置かれ、前記浮き輪と前記ロープとを結び付けることができるため、前記浮き輪を水に投げる時、前記回収軸が回転することにより前記浮き輪を引き戻せ、前記立柱の左側面には空気入れ箱が固定的に設置され、前記空気入れ箱の中には空気空間が設置され、前記空気空間の中には空気入れ軸が回転できるように設置され、前記空気入れ軸の外円周面には螺旋状羽根が設置され、前記空気入れ箱の頂面にはホースが固定的に設置され、前記ホースの一端には空気入れノズルが固定的に設置され、前記ホースが前記空気空間と連通し、前記空気入れノズルは前記浮き輪に空気を入れることができ、前記ベースの頂面にはマスク空間が設置され、前記マスク空間の左側壁には空気入れパイプが固定的に設置され、前記マスク空間の中には酸素マスクが貯蔵され、前記酸素マスクには空気入りパイプが固定的に設置され、前記空気入れパイプは前記空気入りパイプに空気を入れることができ、前記空気空間と前記空気入れパイプとが通気パイプを介して連通し、前記ベースの中には動力空間が設置され、前記動力空間の左側壁の中には動力モーターが固定的に嵌められ、前記動力モーターは前記空気入れ軸の回転及び前記回収軸の回転に動力を供給できる。
【０００６】
さらなる技術プランには、前記空き空間の左側に位置する前記頂板の中には頂空間が設置され、前記回収軸の左側延在部分が前記頂空間の中に延在し、前記回収軸の左側末端には第一傘歯車が固定的に設置され、前記立柱の中には上下方向に延在する縦回転軸が回転できるように設置され、前記縦回転軸の頂部延在部分が前記頂空間の中に延在し、前記縦回転軸の頂部延在部分の末端には第二傘歯車が固定的に設置され、前記第二傘歯車が前記第一傘歯車と噛み合い、前記縦回転軸の底端には第三傘歯車が固定的に設置され、前記第三傘歯車が前記動力空間の中に位置する。
【０００７】
有益なまたは例示のように、前記立柱の左側面には固定ブロックが固定的に設置され、前記空気入れノズルが前記固定ブロックの中に置かれることができ、前記空気空間の壁にはフィルターが固定的に設置され、前記フィルターは粉塵が前記空気空間の中に入ることを防ぎ、前記ベースの頂面には蓋板がヒンジで連結され、前記蓋板が前記マスク空間を覆うことができる。
【０００８】
有益なまたは例示のように、前記動力空間の中には切換スライダがスライドできるように設置され、前記切換スライダの中にはスプラインスリーブが回転できるように設置され、前記スプラインスリーブの右端には第四傘歯車が固定的に設置され、前記第四傘歯車が前記第三傘歯車と噛み合うことができ、前記スプラインスリーブの左端には第五傘歯車が固定的に設置され、前記動力モーターの右端には動力軸が伝動できるように連結され、前記動力軸が前記スプラインスリーブの中に挿入され、かつ前記動力軸が前記スプラインスリーブとスプラインにより嵌合され、前記動力空間の頂壁の中には大歯車が回転できるように設置され、前記大歯車の底端には第六傘歯車が固定的に設置され、前記第六傘歯車が前記第五傘歯車と噛み合うことができ、前記空気入れ軸の外円周面には小歯車が固定的に設置され、前記小歯車が前記大歯車と噛み合い、かつ前記大歯車の直径が前記小歯車の直径より大きい。
【０００９】
有益なまたは例示のように、前記動力空間の底壁にはスライド溝が形成され、前記スライド溝の中にはスライド板がスライドできるように設置され、前記スライド板が前記切換スライダの底面に固定され、前記スライド板の左右両側に位置する前記スライド溝の中には電磁石が固定的に設置され、右側に位置する前記電磁石の右側には磁性ブロックがスライドできるように設置され、前記動力空間の右側には止め板がスライドできるように設置され、前記止め板が前記通気パイプを塞げ、前記止め板と前記磁性ブロックとが引き紐により固定され、前記止め板の左側には復帰機構が固定的に設置されている。
【発明の効果】
【００１０】
本願発明の有益な効果は：本願発明は空気入れ軸の回転により、それぞれ浮き輪及び酸素マスクに空気を入れ、空気入れの効率を向上させ、酸素マスクを浮き輪に切換えて、または浮き輪を酸素マスクに切換えてから空気を入れる必要がなく、救命時間を省き、また、救援要員及び溺れる人をロープにより一緒に岸に引くことができ、救命時間や力を省く。その他、回収軸の回転と空気入れ軸の回転と空気入れは全て同一の動力源により駆動されるため、モーターの数量を減らし、コストを抑え、本願発明は先進的で、構成が簡単で、操作や使用が便利である。
【図面の簡単な説明】
【００１１】
下記に図１〜３をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１２】
【図１】図１は本願発明の池の周囲に備えられる救命設備の内部全体構成概略図
【図２】図２は本願発明においてベースの概略図
【図３】図３は本願発明図１においてＡの部分拡大概略図
【発明を実施するための形態】
【００１３】
図１〜３を参照し、本願発明実施例の池の周囲に備えられる救命設備は、ベース１０を含み、前記ベース１０の頂面には立柱１３が固定的に設置され、前記立柱１３の頂面には頂板１１が固定的に設置され、前記頂板１１の中には空き空間３０が設置され、前記空き空間３０の中には回収軸２９が回転できるように設置され、前記回収軸２９の外円周面には二本のロープ２８が巻かれ、前記立柱１３の右側面には掛け板２２が固定的に設置され、前記掛け板２２には浮き輪２３が置かれ、前記浮き輪２３と前記ロープ２８とを結び付けることができるため、前記浮き輪２３を水に投げる時、前記回収軸２９が回転することにより前記浮き輪２３を引き戻せ、前記立柱１３の左側面には空気入れ箱１２が固定的に設置され、前記空気入れ箱１２の中には空気空間２１が設置され、前記空気空間２１の中には空気入れ軸１８が回転できるように設置され、前記空気入れ軸１８の外円周面には螺旋状羽根１７が設置され、前記空気入れ箱１２の頂面にはホース１６が固定的に設置され、前記ホース１６の一端には空気入れノズル１５が固定的に設置され、前記ホース１６が前記空気空間２１と連通し、前記空気入れノズル１５は前記浮き輪２３に空気を入れることができ、前記ベース１０の頂面にはマスク空間３３が設置され、前記マスク空間３３の左側壁には空気入れパイプ７２が固定的に設置され、前記マスク空間３３の中には酸素マスク３２が貯蔵され、前記酸素マスク３２には空気入りパイプ７１が固定的に設置され、前記空気入れパイプ７２は前記空気入りパイプ７１に空気を入れることができ、前記空気空間２１と前記空気入れパイプ７２とが通気パイプ４５を介して連通し、前記ベース１０の中には動力空間４２が設置され、前記動力空間４２の左側壁の中には動力モーター３９が固定的に嵌められ、前記動力モーター３９は前記空気入れ軸１８の回転及び前記回収軸２９の回転に動力を供給できる。
【００１４】
有益なまたは例示のように、前記空き空間３０の左側に位置する前記頂板１１の中には頂空間２５が設置され、前記回収軸２９の左側延在部分が前記頂空間２５の中に延在し、前記回収軸２９の左側末端には第一傘歯車２７が固定的に設置され、前記立柱１３の中には上下方向に延在する縦回転軸４３が回転できるように設置され、前記縦回転軸４３の頂部延在部分が前記頂空間２５の中に延在し、前記縦回転軸４３の頂部延在部分の末端には第二傘歯車２６が固定的に設置され、前記第二傘歯車２６が前記第一傘歯車２７と噛み合い、前記縦回転軸４３の底端には第三傘歯車４６が固定的に設置され、前記第三傘歯車４６が前記動力空間４２の中に位置し、前記縦回転軸４３の回転により、前記第二傘歯車２６が前記第一傘歯車２７を駆動して回転させ、さらに前記回収軸２９を回転させることで、前記ロープ２８が前記浮き輪２３を引き戻す。
【００１５】
有益なまたは例示のように、前記立柱１３の左側面には固定ブロック１４が固定的に設置され、前記空気入れノズル１５が前記固定ブロック１４の中に置かれることができ、前記空気空間２１の壁にはフィルター２０が固定的に設置され、前記フィルター２０は粉塵が前記空気空間２１の中に入ることを防ぎ、前記ベース１０の頂面には蓋板３１がヒンジで連結され、前記蓋板３１が前記マスク空間３３を覆うことができる。
【００１６】
有益なまたは例示のように、前記動力空間４２の中には切換スライダ５２がスライドできるように設置され、前記切換スライダ５２の中にはスプラインスリーブ５３が回転できるように設置され、前記スプラインスリーブ５３の右端には第四傘歯車４８が固定的に設置され、前記第四傘歯車４８が前記第三傘歯車４６と噛み合うことができ、前記スプラインスリーブ５３の左端には第五傘歯車４１が固定的に設置され、前記動力モーター３９の右端には動力軸５４が伝動できるように連結され、前記動力軸５４が前記スプラインスリーブ５３の中に挿入され、かつ前記動力軸５４が前記スプラインスリーブ５３とスプラインにより嵌合され、前記動力空間４２の頂壁の中には大歯車３６が回転できるように設置され、前記大歯車３６の底端には第六傘歯車４０が固定的に設置され、前記第六傘歯車４０が前記第五傘歯車４１と噛み合うことができ、前記空気入れ軸１８の外円周面には小歯車３８が固定的に設置され、前記小歯車３８が前記大歯車３６と噛み合い、かつ前記大歯車３６の直径が前記小歯車３８の直径より大きく、前記動力モーター３９の作動により、前記第五傘歯車４１が前記第六傘歯車４０を駆動して回転させ、さらに前記大歯車３６が前記小歯車３８を駆動して回転させ、前記空気入れ軸１８が前記螺旋状羽根１７を駆動して酸素マスク３２及び浮き輪２３に空気を入れる。
【００１７】
有益なまたは例示のように、前記動力空間４２の底壁にはスライド溝６５が形成され、前記スライド溝６５の中にはスライド板５１がスライドできるように設置され、前記スライド板５１が前記切換スライダ５２の底面に固定され、前記スライド板５１の左右両側に位置する前記スライド溝６５の中には電磁石４９が固定的に設置され、右側に位置する前記電磁石４９の右側には磁性ブロック５０がスライドできるように設置され、前記動力空間４２の右側には止め板４４がスライドできるように設置され、前記止め板４４が前記通気パイプ４５を塞げ、前記止め板４４と前記磁性ブロック５０とが引き紐４７により固定され、前記止め板４４の左側には復帰機構６０が固定的に設置され、前記電磁石４９の作動により、前記切換スライダ５２が左右にスライドでき、また前記止め板４４は上下にスライドすることで前記通気パイプ４５を開けること或いは塞ぐことができる。
【００１８】
救命の時、まず、左側の電磁石４９を通電させ、そしてスライド板５１を左方に移動させ、さらに切換スライダ５２を左方に移動させ、第五傘歯車４１と第六傘歯車４０とを噛み合わせ、その後、動力モーター３９が作動することにより、第五傘歯車４１が第六傘歯車４０を駆動して回転させ、大歯車３６が小歯車３８を駆動して回転させ、空気入れ軸１８を回転させ、さらに螺旋状羽根１７を回転させて風を送り、それと同時に空気入れノズル１５を浮き輪２３の空気入れ口に合わせ、空気入れを行い、空気入れノズル１５を固定ブロック１４の中に挿入し、空気入れノズル１５が漏れることを防ぎ、その後、右側の電磁石４９に負の電気を通させることにより、磁性ブロック５０が左側に移動し、さらに止め板４４を下方に移動させ、そして通気パイプ４５が開けられ、空気入れパイプ７２が酸素マスク３２に空気を入れ、空気を入れ終えた後、酸素マスク３２を取り出し、一本のロープ２８を浮き輪２３に結び付け、救援要員は浮き輪２３をつけ、そして酸素マスク３２をつけて呼吸し、もう一本のロープ２８をもう一個の浮き輪２３に結び付け、水に飛び込んで人を救い、そして浮き輪２３を溺れる人の体につけた後、右側の電磁石４９に正の電気を通させるが左側の前記電磁石４９に電子を失わせることにより、スライド板５１を右方に移動させ、それと同時に磁性ブロック５０が押しのけられ、同時に切換スライダ５２が右方に移動することにより、第四傘歯車４８が第三傘歯車４６を駆動して噛み合わせ、第四傘歯車４８が第三傘歯車４６を回転させ、縦回転軸４３を回転させることで、縦回転軸４３が回収軸２９を駆動して回転させ、ロープ２８で浮き輪２３を引いて回収し、溺れる人が岸に引かれる。
【００１９】
本願発明の有益な効果は：本願発明は空気入れ軸の回転により、それぞれ浮き輪及び酸素マスクに空気を入れ、空気入れの効率を向上させ、酸素マスクを浮き輪に切換えて、または浮き輪を酸素マスクに切換えてから空気を入れる必要がなく、救命時間を省き、また、救援要員及び溺れる人をロープにより一緒に岸に引くことができ、救命時間や力を省く。その他、回収軸の回転と空気入れ軸の回転と空気入れは全て同一の動力源により駆動されるため、モーターの数量を減らし、コストを抑え、本願発明は先進的で、構成が簡単で、操作や使用が便利である。
【００２０】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【要約】
【課題】本願発明は池の周囲に備えられる救命設備を開示した。
【解決手段】
ベースを含み、前記ベースの頂面には立柱が固定的に設置され、前記立柱の頂面には頂板が固定的に設置され、前記頂板の中には空き空間が設置され、前記空き空間の中には回収軸が回転できるように設置され、前記回収軸の外円周面には二本のロープが巻かれ、前記立柱の右側面には掛け板が固定的に設置され、前記掛け板には浮き輪が置かれ、前記浮き輪と前記ロープとを結び付けることができるため、前記浮き輪を水に投げる時、前記回収軸が回転することにより前記浮き輪を引き戻せ、本願発明は空気入れ軸の回転により、それぞれ浮き輪及び酸素マスクに空気を入れ、空気入れの効率を向上させ、酸素マスクを浮き輪に切換えて、または浮き輪を酸素マスクに切換えてから空気を入れる必要がなく、救命時間を省く。
【選択図】図１【図１】
0006814348.tif 000002
【図２】
0006814348.tif 000003
【図３】
0006814348.tif 000004